(57)【特許請求の範囲】
【請求項１】
基地局機能を有するデバイスに適用される、端末間通信のための資源配置方法であって、
前記基地局機能を有するデバイスの時間・週波数資源の利用状況、及び／又は、前記基地局機能を有するデバイスのカバレッジ領域内の各Ｄ２Ｄ端末の状態情報を取得することと、
前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定することと、
前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置することと、を備え、
前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知し、
前記各Ｄ２Ｄ端末が処理するＤ２Ｄ業務の重要性及び前記Ｄ２Ｄ業務の優先度に基づいて、前記異常時間・週波数資源プールを配分すること、及び／又は、
前記各Ｄ２Ｄ端末が前記基地局機能を有するデバイスと無線接続されない後の、中断した端末間通信の再開状況に基づいて、前記異常時間・週波数資源プール内の時間・週波数資源の量を調整することをさらに備えることを特徴とする端末間通信のための資源配置方法。
【請求項２】
前記基地局機能を有するデバイスの時間・週波数資源の利用状況に基づいて、前記配置モードを確定することは、
前記基地局機能を有するデバイスによってスケジューリングできる、上りデータを伝送するための時間・週波数資源のうちの端末間通信に適用される時間・週波数資源の量が予定量以上であるかどうかを判断することと、
端末間通信に適用される時間・週波数資源の量が前記予定量以上であると判定する場合、前記各Ｄ２Ｄ端末の時間・週波数資源を直接スケジューリングするという配置モードの採用を確定することと、を備えることを特徴とする請求項１に記載の端末間通信のための資源配置方法。
【請求項３】
前記各Ｄ２Ｄ端末の状態情報に基づいて、前記各Ｄ２Ｄ端末に時間・週波数資源を配置するための配置モードを確定することは、
前記各Ｄ２Ｄ端末の位置情報に基づいて、前記各Ｄ２Ｄ端末が前記基地局機能を有するデバイスのカバレッジ領域のエッジに位置するかどうかを判断することと、
いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置することと、を備えることを特徴とする請求項１に記載の端末間通信のための資源配置方法。
【請求項４】
時間・週波数資源プールを予め配分するという配置モードに基づいて、前記いずれかのＤ２Ｄ端末に端末間通信のための時間・週波数資源を配置することは、
前記いずれかのＤ２Ｄ端末の移動状態に基づいて、前記いずれかのＤ２Ｄ端末が入ろうとするターゲットセルを予測することと、
前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択することと、
前記いずれかのＤ２Ｄ端末が前記配分されようとする時間・週波数資源プールから端末間通信のための時間・週波数資源を選択するように、前記配分されようとする時間・週波数資源プールを前記いずれかのＤ２Ｄ端末に通知することと、を備えることを特徴とする請求項３に記載の端末間通信のための資源配置方法。
【請求項５】
前記各Ｄ２Ｄ端末の移動状態に基づいて、前記各Ｄ２Ｄ端末が前記基地局機能を有するデバイスのカバレッジ領域の中心へ移動するかどうかを判断することと、
いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えることと、をさらに備えることを特徴とする請求項３に記載の端末間通信のための資源配置方法。
【請求項６】
いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えることをさらに備えることを特徴とする請求項２または３に記載の端末間通信のための資源配置方法。
【請求項７】
基地局機能を有するデバイスに適用される、端末間通信のための資源配置システムであって、
前記基地局機能を有するデバイスの時間・週波数資源の利用状況、及び／又は、前記基地局機能を有するデバイスのカバレッジ領域内の各Ｄ２Ｄ端末の状態情報を取得するための取得ユニットと、
前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定するための処理ユニットと、
前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置するための配置ユニットと、を備え、
前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知するための第二通知ユニットをさらに備え、
前記各Ｄ２Ｄ端末が処理するＤ２Ｄ業務の重要性及び前記Ｄ２Ｄ業務の優先度に基づいて、前記異常時間・週波数資源プールを配分するための配分ユニット、及び／又は、
前記各Ｄ２Ｄ端末が前記基地局機能を有するデバイスと無線接続されない後の、中断した端末間通信の再開状況に基づいて、前記異常時間・週波数資源プール内の時間・週波数資源の量を調整するための第一調整ユニット、をさらに備えることを特徴とする端末間通信のための資源配置システム。
【請求項８】
前記処理ユニットは、
前記基地局機能を有するデバイスによってスケジューリングできる、上りデータを伝送するための時間・週波数資源のうちの端末間通信に適用される時間・週波数資源の量が予定量以上であるかどうかを判断するための第一判断ユニットと、
前記第一判断ユニットが端末間通信に適用される時間・週波数資源の量が前記予定量以上であると判定する場合、前記各Ｄ２Ｄ端末の時間・週波数資源を直接スケジューリングするという配置モードの採用を確定するための第一確定ユニットと、を備えることを特徴とする請求項７に記載の端末間通信のための資源配置システム。
【請求項９】
前記処理ユニットは、
前記各Ｄ２Ｄ端末の位置情報に基づいて、前記各Ｄ２Ｄ端末が前記基地局機能を有するデバイスのカバレッジ領域のエッジに位置するかどうかを判断するための第二判断ユニットと、
前記第二判断ユニットが、いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置するための第二確定ユニットと、を備えることを特徴とする請求項７に記載の端末間通信のための資源配置システム。
【請求項１０】
前記配置ユニットは、
前記いずれかのＤ２Ｄ端末の移動状態に基づいて、前記いずれかのＤ２Ｄ端末が入ろうとするターゲットセルを予測するための分析ユニットと、
前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択するための選択ユニットと、
前記いずれかのＤ２Ｄ端末が、前記配分されようとする時間・週波数資源プールから端末間通信のための時間・週波数資源を選択するように、前記配分されようとする時間・週波数資源プールを前記いずれかのＤ２Ｄ端末に通知するための第一通知ユニットと、を備えることを特徴とする請求項９に記載の端末間通信のための資源配置システム。
【請求項１１】
前記各Ｄ２Ｄ端末の移動状態に基づいて、前記各Ｄ２Ｄ端末が前記基地局機能を有するデバイスのカバレッジ領域の中心へ移動するかどうかを判断するための第三判断ユニットと、
前記第三判断ユニットが、いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えるための第一切り替えユニットと、をさらに備えることを特徴とする請求項９に記載の端末間通信のための資源配置システム。
【請求項１２】
いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えるための第二切り替えユニットをさらに備えることを特徴とする請求項８または９に記載の端末間通信のための資源配置システム。
【請求項１３】
端末が現在位置するセルにおける基地局機能を有するデバイスが通知した、前記端末と前記端末が前記現在位置するセルにおける基地局機能を有するデバイスとの間の通信異常である第一異常時間・週波数資源プール、及び／又は、他のセルにおける基地局機能を有するデバイスが通知した、前記端末と前記他のセルにおける基地局機能を有するデバイスとの間の通信異常である第二異常時間・週波数資源プールを受信することと、
前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択することと、
選択された時間・週波数資源で前記中断した端末間通信を再開することと、を備え、
前記端末が処理するＤ２Ｄ業務の重要性及び前記Ｄ２Ｄ業務の優先度に基づいて、前記異常時間・週波数資源プールを配分すること、及び／又は、
前記端末が前記基地局機能を有するデバイスと無線接続されない後の、中断した端末間通信の再開状況に基づいて、前記異常時間・週波数資源プール内の時間・週波数資源の量を調整することをさらに備えることを特徴とする端末間通信のための資源配置方法。
【請求項１４】
端末が現在位置するセルにおける基地局機能を有するデバイスが通知した、前記端末と前記端末が前記現在位置するセルにおける基地局機能を有するデバイスとの間の通信異常である第一異常時間・週波数資源プール、及び／又は、他のセルにおける基地局機能を有するデバイスが通知した、前記端末と前記他のセルにおける基地局機能を有するデバイスとの間の通信異常である第二異常時間・週波数資源プールを受信するための受信ユニットと、
前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択するための選択ユニットと、
前記選択ユニットによって選択された時間・週波数資源で前記中断した端末間通信を再開するための処理ユニットと、を備え、
前記端末が処理するＤ２Ｄ業務の重要性及び前記Ｄ２Ｄ業務の優先度に基づいて、前記異常時間・週波数資源プールを配分するための配分ユニット、及び／又は、
前記端末が前記基地局機能を有するデバイスと無線接続されない後の、中断した端末間通信の再開状況に基づいて、前記異常時間・週波数資源プール内の時間・週波数資源の量を調整するための第一調整ユニット、をさらに備えることを特徴とする端末間通信のための資源配置システム。
【発明の詳細な説明】
【技術分野】
【０００１】
本発明は通信技術分野に関し、特に、端末間通信のための資源配置方法、端末間通信のための資源配置システム、基地局機能を有するデバイス及び端末に関する。
【背景技術】
【０００２】
携帯端末のハードウェアやソフトウェア技術及び無線通信技術の発展につれて、端末間通信技術（Ｄｅｖｉｃｅ  ｔｏ  Ｄｅｖｉｃｅ、即ち、Ｄ２Ｄは、３ＧＰＰＲｅｌ―１２に導入された端末の直接通信の技術であり、ユーザがセルラーネットワークのインフラストラクチャーを介せずにデータを伝送することを許容する）は、次第に、重要な技術になる。Ｄ２Ｄ技術は、主に、Ｄ２Ｄ  ｄｉｓｃｏｖｅｒｙ（即ち、発見段階）とＤ２Ｄ  ｃｏｍｍｕｎｉｃａｔｉｏｎ（即ち、通信段階）を備え、Ｄ２Ｄ  ｄｉｓｃｏｖｅｒｙとＤ２Ｄ  ｃｏｍｍｕｎｉｃａｔｉｏｎが独立の業務である。Ｄ２Ｄ  ｃｏｍｍｕｎｉｃａｔｉｏｎは、２つのＵＥが基地局を介して伝送せずに特定のチャンネル（ｓｉｄｅｌｉｎｋ  ｃｈａｎｎｅｌ）を介してデータを直接送信及び伝送することを許容する。Ｄ２Ｄ通信は、ビジネスの場合に用いられてもよく、公共安全の場合に用いられてもよく、現在多くの国と多国籍企業が重視する技術でもあり、将来端末に重大な影響を及ぼす技術でもある。
【０００３】
Ｄ２Ｄ通信は、ネットワークカバレッジがある場合とネットワークカバレッジがない場合とを含む。ネットワークカバレッジがある場合、マクロネットワーク側のスペクトル資源がＤ２Ｄ通信に利用されれば、Ｄ２Ｄ通信のための資源がネットワーク側に管理及び制御される必要がある。従来技術において、ネットワークカバレッジがある場合について、Ｄ２Ｄ通信用の時間・周波数資源を配置するための２種類のモードがある。一方のモードは、直接スケジューリングに基づくＤ２Ｄ通信（以下単にモードＡという）である。具体的には、ＵＥ（ＵｓｅｒＥｑｕｉｐｍｅｎｔ、ユーザデバイス）は接続状態にある必要があり、基地局は、シグナリングによって、ＵＥが何時どの資源ブロックでデータを伝送するかを送信者に指示する。このような資源の配置は各ＵＥに基づくものである。他方のモードは、共有資源に基づくＤ２Ｄ通信（以下単にモードＢという）であり、基本発想が、同じセルに位置するＵＥが基地局の放送した時間・週波数資源プールを共用してＤ２Ｄ通信を行うことである。上記の２種類の配置モードは、それぞれ自分の利点・欠点があり、すべて実際上必要な手段である。
【０００４】
現在、３ＧＰＰが検討した直接スケジューリングに基づくＤ２Ｄ通信手段には、ＵＥが位置するマクロネットカバーがよくない場合、接続状態にあり且つモードＡで通信するＵＥが一定の時間に基地局からモードＡの資源を得ることができない恐れがあり、このとき、もし、ＵＥが依然としてモードＡの資源を利用しようとすれば、Ｄ２Ｄ通信が続くことができないため、Ｄ２Ｄ通信の中断が引き起こされるという欠点がある。
【０００５】
このため、どのようにＤ２Ｄ通信の中断の確率を低減し、且つ効果的にＤ２Ｄ通信業務の連続性を保証することは、解決されようとする課題になる。
【発明の概要】
【０００６】
本発明は、上記の技術課題の少なくとも一つを工夫するものであり、基地局機能を有するデバイスに適用される、端末間通信のための新たな資源配置手段を提案しており、Ｄ２Ｄ通信の中断の確率を効果的に低減でき、Ｄ２Ｄ通信業務の連続性を保証できると共に、Ｄ２Ｄ端末がＤ２Ｄ通信を行うとき、高い通信品質を確保できる。
【０００７】
これに鑑みて、本発明の第一方面によれば、基地局機能を有するデバイスに適用される、端末間通信のための資源配置方法は、提案されており、前記基地局機能を有するデバイスの時間・週波数資源の利用状況、及び／又は、前記基地局機能を有するデバイスのカバレッジ領域内の各Ｄ２Ｄ端末の状態情報を取得するステップと、前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定するステップと、前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置するステップと、を備える。
【０００８】
この技術手段において、基地局機能を有するデバイスのカバレッジ領域内の各Ｄ２Ｄ端末の状態情報に基づいて、各Ｄ２Ｄ端末に時間・週波数資源を配置するための配置モードを確定することにより、Ｄ２Ｄ端末の状態情報に基づいてＤ２Ｄ端末との通信の品質劣化（例えば、Ｄ２Ｄ端末がセルのエッジに移動する）を確定する場合、時間・週波数資源プールを予め配分するという配置モード（即ち、上記モードＢ）の採用を確定できる。Ｄ２Ｄ端末同士がモードＢの資源を利用してデータを伝送するとき、短時間に基地局機能を有するデバイスと無線接続されないことが、Ｄ２Ｄ伝送を止める必要があることを意味していないため、Ｄ２Ｄ通信の中断の確率を効果的に低減でき、Ｄ２Ｄ通信業務の連続性を保証できる。
【０００９】
基地局機能を有するデバイスの時間・週波数資源の利用状況に基づいて、各Ｄ２Ｄ端末に時間・週波数資源を配置するための配置モードを確定することにより、基地局機能を有するデバイスの、Ｄ２Ｄ通信に利用可能な現在の時間・週波数資源の量に基づいて、Ｄ２Ｄ端末に時間・週波数資源を配置するための配置モードを柔軟に確定する。例えば、Ｄ２Ｄ通信に利用可能な時間・週波数資源の量が多い場合、各Ｄ２Ｄ端末を直接スケジューリングするという配置モードを採用するため、各Ｄ２Ｄ端末がＤ２Ｄ通信を行うとき、高い通信品質を確保する。
【００１０】
言うまでもなく、基地局機能を有するデバイスが、Ｄ２Ｄ端末に時間・週波数資源を配置するための配置モードを確定する場合、上記の両方を総合的に考慮できるため、Ｄ２Ｄ通信業務の連続性の確保を前提にして、通信Ｄ２Ｄが高い通信品質を有することを確保する。
【００１１】
当業者が理解できるように、本発明に開示された基地局機能を有するデバイスは、マクロ基地局、通信デバイス（例えば、スマートフォンなど）によって実現されるマイクロ基地局などを含む。
【００１２】
本発明の一つの実施形態において、前記基地局機能を有するデバイスの時間・週波数資源の利用状況に基づいて、前記配置モードを確定するステップは、前記基地局機能を有するデバイスによってスケジューリングできる、上りデータを伝送するための時間・週波数資源のうちの端末間通信に適用される時間・週波数資源の量が予定量以上であるかどうかを判断することと、端末間通信に適用される時間・週波数資源の量が前記予定量以上であると判定する場合、前記各Ｄ２Ｄ端末の時間・週波数資源を直接スケジューリングするという配置モードの採用を確定することと、を備える。
【００１３】
以上に述べたように、Ｄ２Ｄ通信に適用される時間・週波数資源の量が多いであると判定する場合、各Ｄ２Ｄ端末を直接スケジューリングするという配置モードを採用するため、各Ｄ２Ｄ端末がＤ２Ｄ通信を行うとき、高い通信品質を確保できる。
【００１４】
本発明の別の実施形態において、前記各Ｄ２Ｄ端末の状態情報に基づいて、前記各Ｄ２Ｄ端末に時間・週波数資源を配置するための配置モードを確定するステップは、前記各Ｄ２Ｄ端末の位置情報に基づいて、前記各Ｄ２Ｄ端末が前記基地局機能を有するデバイスのカバレッジ領域のエッジに位置するかどうかを判断することと、いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置することと、を備える。
【００１５】
この実施形態において、Ｄ２Ｄ端末が基地局機能を有するデバイスのカバレッジ領域のエッジに位置すると確定する場合、Ｄ２Ｄ端末と基地局機能を有するデバイスとの間の通信の品質が劣化する恐れがある。時間・週波数資源プールを予め配分するという配置モードを採用することにより、Ｄ２Ｄ端末と基地局機能を有するデバイスとの間の通信の品質が劣化する場合でも直接スケジューリングするという配置モード（即ち、モードＡ）を採用することに起因してＤ２Ｄ通信が中断するという問題を回避できる。
【００１６】
上記の技術手段において、好ましくは、時間・週波数資源プールを予め配分するという配置モードに基づいて、前記いずれかのＤ２Ｄ端末に端末間通信のための時間・週波数資源を配置するステップは、前記いずれかのＤ２Ｄ端末の移動状態に基づいて、前記いずれかのＤ２Ｄ端末が入ろうとするターゲットセルを予測することと、前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択することと、前記いずれかのＤ２Ｄ端末が前記配分されようとする時間・週波数資源プールから端末間通信のための時間・週波数資源を選択するように、前記配分されようとする時間・週波数資源プールを前記いずれかのＤ２Ｄ端末に通知することと、を備える。
【００１７】
この技術手段において、Ｄ２Ｄ端末が他のセル（即ち、ターゲットセル）に入ろうとすると確定する場合、前記第一時間・週波数資源プール及び第二時間・週波数資源プール内の共通時間・週波数資源を配分されようとする時間・週波数資源プール内の時間・週波数資源として選択することにより、Ｄ２Ｄ端末が、一方のセルから他方のセルに移動する場合、当該二つのセルに配置された、端末間通信のための共通時間・週波数資源に基づいてＤ２Ｄ通信を行うことができ、さらに、Ｄ２Ｄ端末が複数のセルの間にハンドオーバを行う時のＤ２Ｄ通信業務の連続性を保証できる。
【００１８】
上記の技術手段において、好ましくは、前記各Ｄ２Ｄ端末の移動状態に基づいて、前記各Ｄ２Ｄ端末が前記基地局機能を有するデバイスのカバレッジ領域の中心へ移動するかどうかを判断することと、いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えることと、をさらに備える。
【００１９】
この技術手段において、Ｄ２Ｄ端末がセルのエッジからセルの中心へ移動すると確定する場合、時間・週波数資源プールを予め配分するという配置モードを、各Ｄ２Ｄ端末の時間・週波数資源を直接スケジューリングするという配置モードに切り替え、即ち、モードＢをモードＡに切り替えることにより、Ｄ２Ｄ端末との通信の品質が（Ｄ２Ｄ端末がセルのエッジに位置するときの通信の品質よりも）良い場合、Ｄ２Ｄ端末の時間・週波数資源を直接スケジューリングするという配置モードを採用できるため、Ｄ２Ｄ端末がＤ２Ｄ通信を行うとき、高い通信品質を保証する。
【００２０】
上記の技術手段において、好ましくは、いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えることをさらに備える。
【００２１】
この技術手段において、Ｄ２Ｄ端末は、Ｄ２Ｄ通信のための時間・週波数資源を配置するための配置モードを、基地局機能を有するデバイスに直接通知できる。具体的には、例えば、Ｄ２Ｄ端末が、行われるＤ２Ｄ通信の重要性などの情報に基づいて、基地局機能を有するデバイスが時間・週波数資源を配置するための配置モードを能動的に要求できるため、基地局機能を有するデバイスはＤ２Ｄ端末に時間・週波数資源を配置するための配置モードがＤ２Ｄ端末の実際需要を一層満たせると確保する。
【００２２】
上記の技術手段において、好ましくは、前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知すること、をさらに備える。
【００２３】
この技術手段において、異常時間・週波数資源プールを各Ｄ２Ｄ端末に通知することにより、Ｄ２Ｄ端末と基地局機能を有するデバイスとの間の通信が異常になり、且つ、時間・週波数資源プールを予め配分するという配置モードに切り替えない（例えば、モードＡをモードＢに切り替える過程において通信が異常になる）場合、異常時間・週波数資源プール内の時間・週波数資源で通信の連続性を保持できる。Ｄ２Ｄ端末は、異常時間・週波数資源プールから、中断した端末間通信を再開するための時間・週波数資源を選択する場合、現地セル内の基地局機能を有するデバイスが通知した異常時間・週波数資源プールから選択してもよく、隣接するセル内の基地局機能を有するデバイスが通知した異常時間・週波数資源プールから選択してもいと注意されるべきである。
【００２４】
上記の技術手段において、好ましくは、前記各Ｄ２Ｄ端末が処理するＤ２Ｄ業務の重要性及び前記Ｄ２Ｄ業務の優先度に基づいて、前記異常時間・週波数資源プールを配分することをさらに備える。
【００２５】
上記の技術手段において、好ましくは、前記各Ｄ２Ｄ端末が前記基地局機能を有するデバイスと無線接続されない後の、中断した端末間通信の再開状況に基づいて、前記異常時間・週波数資源プール内の時間・週波数資源の量を調整することをさらに備える。
【００２６】
この技術手段において、中断したＤ２Ｄ通信の再開状況に基づいて、異常時間・週波数資源プール内の時間・週波数資源の量を調整することにより、中断したＤ２Ｄ通信を多く再開する場合、異常時間・週波数資源プール内の時間・週波数資源の量を適宜に低減できるため、時間・週波数資源の最大利用率を確保する。
【００２７】
上記の技術手段において、好ましくは、無線リンク再開過程に関するシグナリングを受信し、前記無線リンク再開過程に関するシグナリングに基づいて、前記中断した端末間通信の再開状況を確定すること、及び／又は、前記各Ｄ２Ｄ端末が報告した、前記中断した端末間通信の再開状況を受信すること、をさらに備える。
【００２８】
換言すれば、一方、基地局機能を有するデバイスは、無線リンク再開過程において受信されたシグナリングに基づいて中断した端末間通信の再開状況を確定してもよく、他方、基地局機能を有するデバイスの分析負荷を低減するために、基地局機能を有するデバイスは、Ｄ２Ｄ端末が報告した、中断した端末間通信の再開状況のみを受信してもよい。
【００２９】
上記の技術手段において、好ましくは、スケジューリングされようとするＤ２Ｄ端末の数に基づいて、前記各配置モードでの時間・週波数資源の量を調整することをさらに備える。
【００３０】
この技術手段において、具体的には、スケジューリングされようとするＤ２Ｄ端末の数が多い場合、基地局機能を有するデバイスの負荷を低減するために、モードＢで時間・週波数資源を選択するようにＤ２Ｄ端末を多くスケジューリングできるため、モードＢでの時間・週波数資源の量を増加でき、また、スケジューリングされようとするＤ２Ｄ端末の数が少ない場合、Ｄ２Ｄ通信の品質を向上させるために、モードＡで時間・週波数資源を選択するようにＤ２Ｄ端末を多くスケジューリングできるため、モードＡでの時間・週波数資源の量を増加できる。
【００３１】
本発明の第二方面によれば、基地局機能を有するデバイスに適用される、端末間通信のための資源配置システムは、提案されており、前記基地局機能を有するデバイスの時間・週波数資源の利用状況、及び／又は、前記基地局機能を有するデバイスのカバレッジ領域内の各Ｄ２Ｄ端末の状態情報を取得するための取得ユニットと、前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定するための処理ユニットと、前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置するための配置ユニットと、を備える。
【００３２】
この技術手段において、基地局機能を有するデバイスのカバレッジ領域内の各Ｄ２Ｄ端末の状態情報に基づいて、各Ｄ２Ｄ端末に時間・週波数資源を配置するための配置モードを確定することにより、Ｄ２Ｄ端末の状態情報に基づいてＤ２Ｄ端末との通信の品質劣化（例えば、Ｄ２Ｄ端末がセルのエッジに移動する）を確定する場合、時間・週波数資源プールを予め配分するという配置モード（即ち、上記モードＢ）の採用を確定できる。Ｄ２Ｄ端末同士がモードＢの資源を利用してデータを伝送するとき、短時間に基地局機能を有するデバイスと無線接続されないことが、Ｄ２Ｄ伝送を止める必要があることを意味していないため、Ｄ２Ｄ通信の中断の確率を効果的に低減でき、Ｄ２Ｄ通信業務の連続性を保証できる。
【００３３】
基地局機能を有するデバイスの時間・週波数資源の利用状況に基づいて、各Ｄ２Ｄ端末に時間・週波数資源を配置するための配置モードを確定することにより、基地局機能を有するデバイスの、Ｄ２Ｄ通信に利用可能な現在の時間・週波数資源の量に基づいて、Ｄ２Ｄ端末に時間・週波数資源を配置するための配置モードを柔軟に確定する。例えば、Ｄ２Ｄ通信に利用可能な時間・週波数資源の量が多い場合、各Ｄ２Ｄ端末を直接スケジューリングするという配置モードを採用するため、各Ｄ２Ｄ端末がＤ２Ｄ通信を行うとき、高い通信品質を確保する。
【００３４】
言うまでもなく、基地局機能を有するデバイスが、Ｄ２Ｄ端末に時間・週波数資源を配置するための配置モードを確定する場合、上記の両方を総合的に考慮できるため、Ｄ２Ｄ通信業務の連続性の確保を前提にして、通信Ｄ２Ｄが高い通信品質を有することを確保する。
【００３５】
当業者が理解できるように、本発明に開示された基地局機能を有するデバイスは、マクロ基地局、通信デバイス（例えば、スマートフォンなど）によって実現されるマイクロ基地局などを含む。
【００３６】
本発明の一つの実施形態において、前記処理ユニットは、前記基地局機能を有するデバイスによってスケジューリングできる、上りデータを伝送するための時間・週波数資源のうちの端末間通信に適用される時間・週波数資源の量が予定量以上であるかどうかを判断するための第一判断ユニットと、前記第一判断ユニットが、端末間通信に適用される時間・週波数資源の量が前記予定量以上であると判定する場合、前記各Ｄ２Ｄ端末の時間・週波数資源を直接スケジューリングするという配置モードの採用を確定するための第一確定ユニットと、を備える。
【００３７】
以上に述べたように、Ｄ２Ｄ通信に適用される時間・週波数資源の量が多いであると判定する場合、各Ｄ２Ｄ端末を直接スケジューリングするという配置モードを採用するため、各Ｄ２Ｄ端末がＤ２Ｄ通信を行うとき、高い通信品質を確保できる。
【００３８】
本発明の別の実施形態において、前記処理ユニットは、前記各Ｄ２Ｄ端末の位置情報に基づいて、前記各Ｄ２Ｄ端末が前記基地局機能を有するデバイスのカバレッジ領域のエッジに位置するかどうかを判断するための第二判断ユニットと、前記第二判断ユニットが、いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置するための第二確定ユニットと、を備える。
【００３９】
この実施形態において、Ｄ２Ｄ端末が基地局機能を有するデバイスのカバレッジ領域のエッジに位置すると確定する場合、Ｄ２Ｄ端末と基地局機能を有するデバイスとの間の通信の品質が劣化する恐れがある。時間・週波数資源プールを予め配分するという配置モードを採用することにより、Ｄ２Ｄ端末と基地局機能を有するデバイスとの間の通信の品質が劣化する場合でも直接スケジューリングするという配置モード（即ち、モードＡ）を採用することに起因してＤ２Ｄ通信が中断するという問題を回避できる。
【００４０】
上記の技術手段において、好ましくは、前記配置ユニットは、前記いずれかのＤ２Ｄ端末の移動状態に基づいて、前記いずれかのＤ２Ｄ端末が入ろうとするターゲットセルを予測するための分析ユニットと、前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択するための選択ユニットと、前記いずれかのＤ２Ｄ端末が、前記配分されようとする時間・週波数資源プールから端末間通信のための時間・週波数資源を選択するように、前記配分されようとする時間・週波数資源プールを前記いずれかのＤ２Ｄ端末に通知するための第一通知ユニットと、を備える。
【００４１】
この技術手段において、Ｄ２Ｄ端末が他のセル（即ち、ターゲットセル）に入ろうとすると確定する場合、前記第一時間・週波数資源プール及び第二時間・週波数資源プール内の共通時間・週波数資源を配分されようとする時間・週波数資源プール内の時間・週波数資源として選択することにより、Ｄ２Ｄ端末が、一方のセルから他方のセルに移動する場合、当該二つのセルに配置された、端末間通信のための共通時間・週波数資源に基づいてＤ２Ｄ通信を行うことができ、さらに、Ｄ２Ｄ端末が複数のセルの間にハンドオーバを行う時のＤ２Ｄ通信業務の連続性を保証できる。
【００４２】
上記の技術手段において、好ましくは、前記各Ｄ２Ｄ端末の移動状態に基づいて、前記各Ｄ２Ｄ端末が前記基地局機能を有するデバイスのカバレッジ領域の中心へ移動するかどうかを判断するための第三判断ユニットと、前記第三判断ユニットが、いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えるための第一切り替えユニットと、をさらに備える。
【００４３】
この技術手段において、Ｄ２Ｄ端末がセルのエッジからセルの中心へ移動すると確定する場合、時間・週波数資源プールを予め配分するという配置モードを、各Ｄ２Ｄ端末の時間・週波数資源を直接スケジューリングするという配置モードに切り替え、即ち、モードＢをモードＡに切り替えることにより、Ｄ２Ｄ端末との通信の品質が（Ｄ２Ｄ端末がセルのエッジに位置するときの通信の品質よりも）良い場合、Ｄ２Ｄ端末の時間・週波数資源を直接スケジューリングするという配置モードを採用できるため、Ｄ２Ｄ端末がＤ２Ｄ通信を行うとき、高い通信品質を保証する。
【００４４】
上記の技術手段において、好ましくは、いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えるための第二切り替えユニットをさらに備える。
【００４５】
この技術手段において、Ｄ２Ｄ端末は、Ｄ２Ｄ通信のための時間・週波数資源を配置するための配置モードを、基地局機能を有するデバイスに直接通知できる。具体的には、例えば、Ｄ２Ｄ端末が、行われるＤ２Ｄ通信の重要性などの情報に基づいて、基地局機能を有するデバイスが時間・週波数資源を配置するための配置モードを能動的に要求できるため、基地局機能を有するデバイスはＤ２Ｄ端末に時間・週波数資源を配置するための配置モードがＤ２Ｄ端末の実際需要を一層満たせると確保する。
【００４６】
上記の技術手段において、好ましくは、前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知するための第二通知ユニット、をさらに備える。
【００４７】
この技術手段において、異常時間・週波数資源プールを各Ｄ２Ｄ端末に通知することにより、Ｄ２Ｄ端末と基地局機能を有するデバイスとの間の通信が異常になり、且つ、時間・週波数資源プールを予め配分するという配置モードに切り替えない（例えば、モードＡをモードＢに切り替える過程において通信が異常になる）場合、異常時間・週波数資源プール内の時間・週波数資源で通信の連続性を保持できる。Ｄ２Ｄ端末は、異常時間・週波数資源プールから、中断した端末間通信を再開するための時間・週波数資源を選択する場合、現地セル内の基地局機能を有するデバイスが通知した異常時間・週波数資源プールから選択してもよく、隣接するセル内の基地局機能を有するデバイスが通知した異常時間・週波数資源プールから選択してもいと注意されるべきである。
【００４８】
上記の技術手段において、好ましくは、前記各Ｄ２Ｄ端末が処理するＤ２Ｄ業務の重要性及び前記Ｄ２Ｄ業務の優先度に基づいて、前記異常時間・週波数資源プールを配分するための配分ユニットをさらに備える。
【００４９】
上記の技術手段において、好ましくは、前記各Ｄ２Ｄ端末が前記基地局機能を有するデバイスと無線接続されない後の、中断した端末間通信の再開状況に基づいて、前記異常時間・週波数資源プール内の時間・週波数資源の量を調整するための第一調整ユニットをさらに備える。
【００５０】
この技術手段において、中断した端末間通信の再開状況に基づいて、異常時間・週波数資源プール内の時間・週波数資源の量を調整することにより、中断した端末間通信を多く再開する場合、異常時間・週波数資源プール内の時間・週波数資源の量を適宜に低減できるため、時間・週波数資源の最大利用率を確保する。
【００５１】
上記の技術手段において、好ましくは、無線リンク再開過程に関するシグナリングを受信するための第一受信ユニットと前記無線リンク再開過程に関するシグナリングに基づいて前記中断した端末間通信の再開状況を確定するための第三確定ユニット、及び／又は、前記各Ｄ２Ｄ端末が報告した、前記中断した端末間通信の再開状況を受信するための第二受信ユニット、をさらに備える。
【００５２】
換言すれば、一方、基地局機能を有するデバイスは、無線リンク再開過程において受信されたシグナリングに基づいて中断した端末間通信の再開状況を確定してもよく、他方、基地局機能を有するデバイスの分析負荷を低減するために、基地局機能を有するデバイスは、Ｄ２Ｄ端末が報告した、中断した端末間通信の再開状況のみを受信してもよい。
【００５３】
上記の技術手段において、好ましくは、スケジューリングされようとするＤ２Ｄ端末の数に基づいて、前記各配置モードでの時間・週波数資源の量を調整するための第二調整ユニットをさらに備える。
【００５４】
この技術手段において、具体的には、スケジューリングされようとするＤ２Ｄ端末の数が多い場合、基地局機能を有するデバイスの負荷を低減するために、モードＢで時間・週波数資源を選択するようにＤ２Ｄ端末を多くスケジューリングできるため、モードＢでの時間・週波数資源の量を増加でき、また、スケジューリングされようとするＤ２Ｄ端末の数が少ない場合、Ｄ２Ｄ通信の品質を向上させるために、モードＡで時間・週波数資源を選択するようにＤ２Ｄ端末を多くスケジューリングできるため、モードＡでの時間・週波数資源の量を増加できる。
【００５５】
本発明の第三方面によれば、上記の技術手段のいずれかに記載の端末間通信のための資源配置システムを備える、基地局機能を有するデバイスはさらに提案される。
【００５６】
本発明の第四方面によれば、端末に適用される、端末間通信のための資源配置方法は、提案されており、前記端末が現在位置するセル内の基地局機能を有するデバイスが通知した第一異常時間・週波数資源プール、及び／又は、他のセル内の基地局機能を有するデバイスが通知した第二異常時間・週波数資源プールを受信するステップと、前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択するステップと、選択された時間・週波数資源で前記中断した端末間通信を再開するステップと、を備える。
【００５７】
この技術手段において、端末が、端末が現在位置するセル内の基地局機能を有するデバイスと無線接続されないことに起因して、端末が行う端末間通信が中断する場合、端末が現在位置するセル内の基地局機能を有するデバイスが以前通知した第一異常時間・週波数資源プールから、中断した端末間通信を再開するための時間・週波数資源を選択でき、或いは、他のセル（例えば、端末が現在位置するセルに隣接するセル）が通知した第二異常時間・週波数資源プールを受信したとき、第二異常時間・週波数資源プールから、中断した端末間通信を再開するための時間・週波数資源を選択でき、或いは、第一異常時間・週波数資源プール及び第二異常時間・週波数資源プール内の時間・週波数資源を総合的に選択できるため、中断した端末間通信を速く再開できることを確保し、端末間通信の連続性を保証する。
【００５８】
本発明の第五方面によれば、端末に適用される、端末間通信のための資源配置システムは、されに提案されており、前記端末が現在位置するセル内の基地局機能を有するデバイスが通知した第一異常時間・週波数資源プール、及び／又は、他のセル内の基地局機能を有するデバイスが通知した第二異常時間・週波数資源プールを受信するための受信ユニットと、前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択するための選択ユニットと、前記選択ユニットによって選択された時間・週波数資源で前記中断した端末間通信を再開するための処理ユニットと、を備える。
【００５９】
この技術手段において、端末が、端末が現在位置するセル内の基地局機能を有するデバイスと無線接続されないことに起因して、端末が行う端末間通信が中断する場合、端末が現在位置するセル内の基地局機能を有するデバイスが以前通知した第一異常時間・週波数資源プールから、中断した端末間通信を再開するための時間・週波数資源を選択でき、或いは、他のセル（例えば、端末が現在位置するセルに隣接するセル）が通知した第二異常時間・週波数資源プールを受信したとき、第二異常時間・週波数資源プールから、中断した端末間通信を再開するための時間・週波数資源を選択でき、或いは、第一異常時間・週波数資源プール及び第二異常時間・週波数資源プール内の時間・週波数資源を総合的に選択できるため、中断した端末間通信を速く再開できることを確保し、端末間通信の連続性を保証する。
【００６０】
本発明の第六方面によれば、上記端末間通信のための資源配置システムを備える端末はさらに提案される。
【００６１】
上記の技術手段によれば、Ｄ２Ｄ通信の中断の確率を効果的に低減でき、Ｄ２Ｄ通信業務の連続性を保証できると共に、Ｄ２Ｄ端末がＤ２Ｄ通信を行うとき、高い通信品質を確保できる。
【図面の簡単な説明】
【００６２】
【図１】図１は、本発明の実施形態による、基地局機能を有するデバイスに適用される、端末間通信のための資源配置方法の概略フローチャートを示す。
【図２】図２は、本発明の実施形態による、基地局機能を有するデバイスに適用される、端末間通信のための資源配置システムの概略ブロック図を示す。
【図３】図３は、本発明の実施形態による、端末に適用される、端末間通信のための資源配置方法の概略フローチャートを示す。
【図４】図４は、本発明の実施形態による、端末に適用される、端末間通信のための資源配置システムの概略ブロック図を示す。
【発明を実施するための形態】
【００６３】
本発明の上記の目的、特徴及び利点を一層理解するために、以下に、実施形態及び図面を参照しながら、本発明をより詳しく説明する。衝突しない場合、本発明の実施形態及び実施形態の特徴を互いに結合できると指摘される。
【００６４】
以下に、本発明を充分に理解できるように詳細について説明するが、しかしながら、本発明は、ここで説明される実施形態と相違する他の実施形態で実施されてもよいため、本発明の範囲は、以下に開示される実施形態に限定されるものではない。
【００６５】
図１は、本発明の実施形態による、基地局機能を有するデバイスに適用される、端末間通信のための資源配置方法の概略フローチャートを示す。
【００６６】
図１に示すように、本発明の実施形態による、基地局機能を有するデバイスに適用される、端末間通信のための資源配置方法は、前記基地局機能を有するデバイスの時間・週波数資源の利用状況、及び／又は、前記基地局機能を有するデバイスのカバレッジ領域内の各Ｄ２Ｄ端末の状態情報を取得するステップ１０２と、前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定するステップ１０４と、前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置するステップ１０６と、を備える。
【００６７】
この技術手段において、基地局機能を有するデバイスのカバレッジ領域内の各Ｄ２Ｄ端末の状態情報に基づいて、各Ｄ２Ｄ端末に時間・週波数資源を配置するための配置モードを確定することにより、Ｄ２Ｄ端末の状態情報に基づいてＤ２Ｄ端末との通信の品質劣化（例えば、Ｄ２Ｄ端末がセルのエッジに移動する）を確定する場合、時間・週波数資源プールを予め配分するという配置モード（即ち、上記モードＢ）の採用を確定できる。Ｄ２Ｄ端末同士がモードＢの資源を利用してデータを伝送するとき、短時間に基地局機能を有するデバイスと無線接続されないことが、Ｄ２Ｄ伝送を止める必要があることを意味していないため、Ｄ２Ｄ通信の中断の確率を効果的に低減でき、Ｄ２Ｄ通信業務の連続性を保証できる。
【００６８】
基地局機能を有するデバイスの時間・週波数資源の利用状況に基づいて、各Ｄ２Ｄ端末に時間・週波数資源を配置するための配置モードを確定することにより、基地局機能を有するデバイスの、Ｄ２Ｄ通信に利用可能な現在の時間・週波数資源の量に基づいて、Ｄ２Ｄ端末に時間・週波数資源を配置するための配置モードを柔軟に確定する。例えば、Ｄ２Ｄ通信に利用可能な時間・週波数資源の量が多い場合、各Ｄ２Ｄ端末を直接スケジューリングするという配置モードを採用するため、各Ｄ２Ｄ端末がＤ２Ｄ通信を行うとき、高い通信品質を確保する。
【００６９】
言うまでもなく、基地局機能を有するデバイスが、Ｄ２Ｄ端末に時間・週波数資源を配置するための配置モードを確定する場合、上記の両方を総合的に考慮できるため、Ｄ２Ｄ通信業務の連続性の確保を前提にして、通信Ｄ２Ｄが高い通信品質を有することを確保する。
【００７０】
当業者が理解できるように、本発明に開示された基地局機能を有するデバイスは、マクロ基地局、通信デバイス（例えば、スマートフォンなど）によって実現されるマイクロ基地局などを含む。
【００７１】
本発明の一つの実施形態において、前記基地局機能を有するデバイスの時間・週波数資源の利用状況に基づいて、前記配置モードを確定するステップは、前記基地局機能を有するデバイスによってスケジューリングできる、上りデータを伝送するための時間・週波数資源のうちの端末間通信に適用される時間・週波数資源の量が予定量以上であるかどうかを判断することと、端末間通信に適用される時間・週波数資源の量が前記予定量以上であると判定する場合、前記各Ｄ２Ｄ端末の時間・週波数資源を直接スケジューリングするという配置モードの採用を確定することと、を備える。
【００７２】
以上に述べたように、Ｄ２Ｄ通信に適用される時間・週波数資源の量が多いであると判定する場合、各Ｄ２Ｄ端末を直接スケジューリングするという配置モードを採用するため、各Ｄ２Ｄ端末がＤ２Ｄ通信を行うとき、高い通信品質を確保できる。
【００７３】
本発明の別の実施形態において、前記各Ｄ２Ｄ端末の状態情報に基づいて、前記各Ｄ２Ｄ端末に時間・週波数資源を配置するための配置モードを確定するステップは、前記各Ｄ２Ｄ端末の位置情報に基づいて、前記各Ｄ２Ｄ端末が前記基地局機能を有するデバイスのカバレッジ領域のエッジに位置するかどうかを判断することと、いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置することと、を備える。
【００７４】
この実施形態において、Ｄ２Ｄ端末が基地局機能を有するデバイスのカバレッジ領域のエッジに位置すると確定する場合、Ｄ２Ｄ端末と基地局機能を有するデバイスとの間の通信の品質が劣化する恐れがある。時間・週波数資源プールを予め配分するという配置モードを採用することにより、Ｄ２Ｄ端末と基地局機能を有するデバイスとの間の通信の品質が劣化する場合でも直接スケジューリングするという配置モード（即ち、モードＡ）を採用することに起因してＤ２Ｄ通信が中断するという問題を回避できる。
【００７５】
上記の技術手段において、好ましくは、時間・週波数資源プールを予め配分するという配置モードに基づいて、前記いずれかのＤ２Ｄ端末に端末間通信のための時間・週波数資源を配置するステップは、前記いずれかのＤ２Ｄ端末の移動状態に基づいて、前記いずれかのＤ２Ｄ端末が入ろうとするターゲットセルを予測することと、前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択することと、前記いずれかのＤ２Ｄ端末が前記配分されようとする時間・週波数資源プールから端末間通信のための時間・週波数資源を選択するように、前記配分されようとする時間・週波数資源プールを前記いずれかのＤ２Ｄ端末に通知することと、を備える。
【００７６】
この技術手段において、Ｄ２Ｄ端末が他のセル（即ち、ターゲットセル）に入ろうとすると確定する場合、前記第一時間・週波数資源プール及び第二時間・週波数資源プール内の共通時間・週波数資源を配分されようとする時間・週波数資源プール内の時間・週波数資源として選択することにより、Ｄ２Ｄ端末が、一方のセルから他方のセルに移動する場合、当該二つのセルに配置された、端末間通信のための共通時間・週波数資源に基づいてＤ２Ｄ通信を行うことができ、さらに、Ｄ２Ｄ端末が複数のセルの間にハンドオーバを行う時のＤ２Ｄ通信業務の連続性を保証できる。
【００７７】
上記の技術手段において、好ましくは、前記各Ｄ２Ｄ端末の移動状態に基づいて、前記各Ｄ２Ｄ端末が前記基地局機能を有するデバイスのカバレッジ領域の中心へ移動するかどうかを判断することと、いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えることと、をさらに備える。
【００７８】
この技術手段において、Ｄ２Ｄ端末がセルのエッジからセルの中心へ移動すると確定する場合、時間・週波数資源プールを予め配分するという配置モードを、各Ｄ２Ｄ端末の時間・週波数資源を直接スケジューリングするという配置モードに切り替え、即ち、モードＢをモードＡに切り替えることにより、Ｄ２Ｄ端末との通信の品質が（Ｄ２Ｄ端末がセルのエッジに位置するときの通信の品質よりも）良い場合、Ｄ２Ｄ端末の時間・週波数資源を直接スケジューリングするという配置モードを採用できるため、Ｄ２Ｄ端末がＤ２Ｄ通信を行うとき、高い通信品質を保証する。
【００７９】
上記の技術手段において、好ましくは、いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えることをさらに備える。
【００８０】
この技術手段において、Ｄ２Ｄ端末は、Ｄ２Ｄ通信のための時間・週波数資源を配置するための配置モードを、基地局機能を有するデバイスに直接通知できる。具体的には、例えば、Ｄ２Ｄ端末が、行われるＤ２Ｄ通信の重要性などの情報に基づいて、基地局機能を有するデバイスが時間・週波数資源を配置するための配置モードを能動的に要求できるため、基地局機能を有するデバイスはＤ２Ｄ端末に時間・週波数資源を配置するための配置モードがＤ２Ｄ端末の実際需要を一層満たせると確保する。
【００８１】
上記の技術手段において、好ましくは、前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知すること、をさらに備える。
【００８２】
この技術手段において、異常時間・週波数資源プールを各Ｄ２Ｄ端末に通知することにより、Ｄ２Ｄ端末と基地局機能を有するデバイスとの間の通信が異常になり、且つ、時間・週波数資源プールを予め配分するという配置モードに切り替えない（例えば、モードＡをモードＢに切り替える過程において通信が異常になる）場合、異常時間・週波数資源プール内の時間・週波数資源でＤ２Ｄ通信の連続性を保持できる。Ｄ２Ｄ端末は、異常時間・週波数資源プールから、中断した端末間通信を再開するための時間・週波数資源を選択する場合、現地セル内の基地局機能を有するデバイスが通知した異常時間・週波数資源プールから選択してもよく、隣接するセル内の基地局機能を有するデバイスが通知した異常時間・週波数資源プールから選択してもいと注意されるべきである。
【００８３】
上記の技術手段において、好ましくは、前記各Ｄ２Ｄ端末が処理するＤ２Ｄ業務の重要性及び前記Ｄ２Ｄ業務の優先度に基づいて、前記異常時間・週波数資源プールを配分することをさらに備える。
【００８４】
上記の技術手段において、好ましくは、前記各Ｄ２Ｄ端末が前記基地局機能を有するデバイスと無線接続されない後の、中断した端末間通信の再開状況に基づいて、前記異常時間・週波数資源プール内の時間・週波数資源の量を調整することをさらに備える。
【００８５】
この技術手段において、中断したＤ２Ｄ通信の再開状況に基づいて、異常時間・週波数資源プール内の時間・週波数資源の量を調整することにより、中断したＤ２Ｄ通信を多く再開する場合、異常時間・週波数資源プール内の時間・週波数資源の量を適宜に低減できるため、時間・週波数資源の最大利用率を確保する。
【００８６】
上記の技術手段において、好ましくは、無線リンク再開過程に関するシグナリングを受信し、前記無線リンク再開過程に関するシグナリングに基づいて、前記中断した端末間通信の再開状況を確定すること、及び／又は、前記各Ｄ２Ｄ端末が報告した、前記中断した端末間通信の再開状況を受信すること、をさらに備える。
【００８７】
換言すれば、一方、基地局機能を有するデバイスは、無線リンク再開過程において受信されたシグナリングに基づいて中断した端末間通信の再開状況を確定してもよく、他方、基地局機能を有するデバイスの分析負荷を低減するために、基地局機能を有するデバイスは、Ｄ２Ｄ端末が報告した、中断した端末間通信の再開状況のみを受信してもよい。
【００８８】
上記の技術手段において、好ましくは、スケジューリングされようとするＤ２Ｄ端末の数に基づいて、前記各配置モードでの時間・週波数資源の量を調整することをさらに備える。
【００８９】
この技術手段において、具体的には、スケジューリングされようとするＤ２Ｄ端末の数が多い場合、基地局機能を有するデバイスの負荷を低減するために、モードＢで時間・週波数資源を選択するようにＤ２Ｄ端末を多くスケジューリングできるため、モードＢでの時間・週波数資源の量を増加でき、また、スケジューリングされようとするＤ２Ｄ端末の数が少ない場合、Ｄ２Ｄ通信の品質を向上させるために、モードＡで時間・週波数資源を選択するようにＤ２Ｄ端末を多くスケジューリングできるため、モードＡでの時間・週波数資源の量を増加できる。
【００９０】
図２は、本発明の実施形態による、基地局機能を有するデバイスに適用される、端末間通信のための資源配置システムの概略ブロック図を示す。
【００９１】
図２に示すように、本発明の実施形態による、基地局機能を有するデバイスに適用される、端末間通信のための資源配置システム２００は、前記基地局機能を有するデバイスの時間・週波数資源の利用状況、及び／又は、前記基地局機能を有するデバイスのカバレッジ領域内の各Ｄ２Ｄ端末の状態情報を取得するための取得ユニット２０２と、前記基地局機能を有するデバイスの時間・週波数資源の利用状況、及び／又は、前記各Ｄ２Ｄ端末の状態情報に基づいて、前記各Ｄ２Ｄ端末に時間・週波数資源を配置するための配置モードを確定するための処理ユニット２０４と、前記各Ｄ２Ｄ端末が配置される時間・週波数資源を利用して端末間通信を行うように、前記配置モードに基づいて前記各Ｄ２Ｄ端末に端末間通信のための前記時間・週波数資源を配置するための配置ユニット２０６と、を備える。
【００９２】
この技術手段において、基地局機能を有するデバイスのカバレッジ領域内の各Ｄ２Ｄ端末の状態情報に基づいて、各Ｄ２Ｄ端末に時間・週波数資源を配置するための配置モードを確定することにより、Ｄ２Ｄ端末の状態情報に基づいてＤ２Ｄ端末との通信の品質劣化（例えば、Ｄ２Ｄ端末がセルのエッジに移動する）を確定する場合、時間・週波数資源プールを予め配分するという配置モード（即ち、上記モードＢ）の採用を確定できる。Ｄ２Ｄ端末同士がモードＢの資源を利用してデータを伝送するとき、短時間に基地局機能を有するデバイスと無線接続されないことが、Ｄ２Ｄ伝送を止める必要があることを意味していないため、Ｄ２Ｄ通信の中断の確率を効果的に低減でき、Ｄ２Ｄ通信業務の連続性を保証できる。
【００９３】
基地局機能を有するデバイスの時間・週波数資源の利用状況に基づいて、各Ｄ２Ｄ端末に時間・週波数資源を配置するための配置モードを確定することにより、基地局機能を有するデバイスの、Ｄ２Ｄ通信に利用可能な現在の時間・週波数資源の量に基づいて、Ｄ２Ｄ端末に時間・週波数資源を配置するための配置モードを柔軟に確定する。例えば、Ｄ２Ｄ通信に利用可能な時間・週波数資源の量が多い場合、各Ｄ２Ｄ端末を直接スケジューリングするという配置モードを採用するため、各Ｄ２Ｄ端末がＤ２Ｄ通信を行うとき、高い通信品質を確保する。
【００９４】
言うまでもなく、基地局機能を有するデバイスが、Ｄ２Ｄ端末に時間・週波数資源を配置するための配置モードを確定する場合、上記の両方を総合的に考慮できるため、Ｄ２Ｄ通信業務の連続性の確保を前提にして、通信Ｄ２Ｄが高い通信品質を有することを確保する。
【００９５】
当業者が理解できるように、本発明に開示された基地局機能を有するデバイスは、マクロ基地局、通信デバイス（例えば、スマートフォンなど）によって実現されるマイクロ基地局などを含む。
【００９６】
本発明の一つの実施形態において、前記処理ユニット２０４は、前記基地局機能を有するデバイスによってスケジューリングできる、上りデータを伝送するための時間・週波数資源のうちの端末間通信に適用される時間・週波数資源の量が予定量以上であるかどうかを判断するための第一判断ユニット２０４２と、前記第一判断ユニット２０４２が、端末間通信に適用される時間・週波数資源の量が前記予定量以上であると判定する場合、前記各Ｄ２Ｄ端末の時間・週波数資源を直接スケジューリングするという配置モードの採用を確定するための第一確定ユニット２０４４と、を備える。
【００９７】
以上に述べたように、Ｄ２Ｄ通信に適用される時間・週波数資源の量が多いであると判定する場合、各Ｄ２Ｄ端末を直接スケジューリングするという配置モードを採用するため、各Ｄ２Ｄ端末がＤ２Ｄ通信を行うとき、高い通信品質を確保できる。
【００９８】
本発明の別の実施形態において、前記処理ユニット２０４は、前記各Ｄ２Ｄ端末の位置情報に基づいて、前記各Ｄ２Ｄ端末が前記基地局機能を有するデバイスのカバレッジ領域のエッジに位置するかどうかを判断するための第二判断ユニット２０４６と、前記第二判断ユニット２０４６が、いずれかのＤ２Ｄ端末が前記基地局機能を有するデバイスのカバレッジ領域のエッジに位置すると判定する場合、時間・週波数資源プールを予め配分するという配置モードの採用を確定し、前記いずれかのＤ２Ｄ端末に時間・週波数資源を配置するための第二確定ユニット２０４８と、を備える。
【００９９】
この実施形態において、Ｄ２Ｄ端末が基地局機能を有するデバイスのカバレッジ領域のエッジに位置すると確定する場合、Ｄ２Ｄ端末と基地局機能を有するデバイスとの間の通信の品質が劣化する恐れがある。時間・週波数資源プールを予め配分するという配置モードを採用することにより、Ｄ２Ｄ端末と基地局機能を有するデバイスとの間の通信の品質が劣化する場合でも直接スケジューリングするという配置モード（即ち、モードＡ）を採用することに起因してＤ２Ｄ通信が中断するという問題を回避できる。
【０１００】
上記の技術手段において、好ましくは、前記配置ユニット２０６は、前記いずれかのＤ２Ｄ端末の移動状態に基づいて、前記いずれかのＤ２Ｄ端末が入ろうとするターゲットセルを予測するための分析ユニット２０６２と、前記基地局機能を有するデバイスによって配置される、端末間通信のための第一時間・週波数資源プール、及び、前記ターゲットセル内の基地局機能を有するデバイスによって配置される、端末間通信のための第二時間・週波数資源プールに基づいて、前記第一時間・週波数資源プール及び前記第二時間・週波数資源プール内の共通時間・週波数資源を配分されようとする時間・週波数資源プール内の時間・週波数資源として選択するための選択ユニット２０６４と、前記いずれかのＤ２Ｄ端末が、前記配分されようとする時間・週波数資源プールから端末間通信のための時間・週波数資源を選択するように、前記配分されようとする時間・週波数資源プールを前記いずれかのＤ２Ｄ端末に通知するための第一通知ユニット２０６６と、を備える。
【０１０１】
この技術手段において、Ｄ２Ｄ端末が他のセル（即ち、ターゲットセル）に入ろうとすると確定する場合、前記第一時間・週波数資源プール及び第二時間・週波数資源プール内の共通時間・週波数資源を配分されようとする時間・週波数資源プール内の時間・週波数資源として選択することにより、Ｄ２Ｄ端末が、一方のセルから他方のセルに移動する場合、当該二つのセルに配置された、端末間通信のための共通時間・週波数資源に基づいてＤ２Ｄ通信を行うことができ、さらに、Ｄ２Ｄ端末が複数のセルの間にハンドオーバを行う時のＤ２Ｄ通信業務の連続性を保証できる。
【０１０２】
上記の技術手段において、好ましくは、前記各Ｄ２Ｄ端末の移動状態に基づいて、前記各Ｄ２Ｄ端末が前記基地局機能を有するデバイスのカバレッジ領域の中心へ移動するかどうかを判断するための第三判断ユニット２０８と、前記第三判断ユニット２０８が、いずれかのＤ２Ｄ端末が前記基地局機能を有するデバイスのカバレッジ領域の中心へ移動すると判定する場合、前記時間・週波数資源プールを予め配分するという配置モードを、前記各Ｄ２Ｄ端末の時間・週波数資源を直接スケジューリングするという配置モードに切り替えるための第一切り替えユニット２１０と、をさらに備える。
【０１０３】
この技術手段において、Ｄ２Ｄ端末がセルのエッジからセルの中心へ移動すると確定する場合、時間・週波数資源プールを予め配分するという配置モードを、各Ｄ２Ｄ端末の時間・週波数資源を直接スケジューリングするという配置モードに切り替え、即ち、モードＢをモードＡに切り替えることにより、Ｄ２Ｄ端末との通信の品質が（Ｄ２Ｄ端末がセルのエッジに位置するときの通信の品質よりも）良い場合、Ｄ２Ｄ端末の時間・週波数資源を直接スケジューリングするという配置モードを採用できるため、Ｄ２Ｄ端末がＤ２Ｄ通信を行うとき、高い通信品質を保証する。
【０１０４】
上記の技術手段において、好ましくは、いずれかのＤ２Ｄ端末が送信した、指定配置モードを要求するというコマンドを受信する場合、端末間通信のための時間・週波数資源を前記いずれかのＤ２Ｄ端末に配置するための現在採用されたモードを前記指定配置モードに切り替えるための第二切り替えユニット２１２をさらに備える。
【０１０５】
この技術手段において、Ｄ２Ｄ端末は、Ｄ２Ｄ通信のための時間・週波数資源を配置するための配置モードを、基地局機能を有するデバイスに直接通知できる。具体的には、例えば、Ｄ２Ｄ端末が、行われるＤ２Ｄ通信の重要性などの情報に基づいて、基地局機能を有するデバイスが時間・週波数資源を配置するための配置モードを能動的に要求できるため、基地局機能を有するデバイスはＤ２Ｄ端末に時間・週波数資源を配置するための配置モードがＤ２Ｄ端末の実際需要を一層満たせると確保する。
【０１０６】
上記の技術手段において、好ましくは、前記各Ｄ２Ｄ端末が、前記基地局機能を有するデバイスと無線接続されない場合、異常時間・週波数資源プールから、中断した端末間通信を再開するための時間・週波数資源を選択するように、前記基地局機能を有するデバイスが配置した前記異常時間・週波数資源プールを前記各Ｄ２Ｄ端末に通知するための第二通知ユニット２１４、をさらに備える。
【０１０７】
この技術手段において、異常時間・週波数資源プールを各Ｄ２Ｄ端末に通知することにより、Ｄ２Ｄ端末と基地局機能を有するデバイスとの間の通信が異常になり、且つ、時間・週波数資源プールを予め配分するという配置モードに切り替えない（例えば、モードＡをモードＢに切り替える過程において通信が異常になる）場合、異常時間・週波数資源プール内の時間・週波数資源でＤ２Ｄ通信の連続性を保持できる。Ｄ２Ｄ端末は、異常時間・週波数資源プールから、中断した端末間通信を再開するための時間・週波数資源を選択する場合、現地セル内の基地局機能を有するデバイスが通知した異常時間・週波数資源プールから選択してもよく、隣接するセル内の基地局機能を有するデバイスが通知した異常時間・週波数資源プールから選択してもいと注意されるべきである。
【０１０８】
上記の技術手段において、好ましくは、前記各Ｄ２Ｄ端末が処理するＤ２Ｄ業務の重要性及び前記Ｄ２Ｄ業務の優先度に基づいて、前記異常時間・週波数資源プールを配分するための配分ユニット２１６をさらに備える。
【０１０９】
上記の技術手段において、好ましくは、前記各Ｄ２Ｄ端末が前記基地局機能を有するデバイスと無線接続されない後の、中断した端末間通信の再開状況に基づいて、前記異常時間・週波数資源プール内の時間・週波数資源の量を調整するための第一調整ユニット２１８をさらに備える。
【０１１０】
この技術手段において、中断したＤ２Ｄ通信の再開状況に基づいて、異常時間・週波数資源プール内の時間・週波数資源の量を調整することにより、中断したＤ２Ｄ通信を多く再開する場合、異常時間・週波数資源プール内の時間・週波数資源の量を適宜に低減できるため、時間・週波数資源の最大利用率を確保する。
【０１１１】
上記の技術手段において、好ましくは、無線リンク再開過程に関するシグナリングを受信するための第一受信ユニット２２０と前記無線リンク再開過程に関するシグナリングに基づいて前記中断した端末間通信の再開状況を確定するための第三確定ユニット２２２、及び／又は、前記各Ｄ２Ｄ端末が報告した、前記中断した端末間通信の再開状況を受信するための第二受信ユニット２２４、をさらに備える。
【０１１２】
換言すれば、一方、基地局機能を有するデバイスは、無線リンク再開過程において受信されたシグナリングに基づいて中断した端末間通信の再開状況を確定してもよく、他方、基地局機能を有するデバイスの分析負荷を低減するために、基地局機能を有するデバイスは、Ｄ２Ｄ端末が報告した、中断した端末間通信の再開状況のみを受信してもよい。
【０１１３】
上記の技術手段において、好ましくは、スケジューリングされようとするＤ２Ｄ端末の数に基づいて、前記各配置モードでの時間・週波数資源の量を調整するための第二調整ユニット２２６をさらに備える。
【０１１４】
この技術手段において、具体的には、スケジューリングされようとするＤ２Ｄ端末の数が多い場合、基地局機能を有するデバイスの負荷を低減するために、モードＢで時間・週波数資源を選択するようにＤ２Ｄ端末を多くスケジューリングできるため、モードＢでの時間・週波数資源の量を増加でき、また、スケジューリングされようとするＤ２Ｄ端末の数が少ない場合、Ｄ２Ｄ通信の品質を向上させるために、モードＡで時間・週波数資源を選択するようにＤ２Ｄ端末を多くスケジューリングできるため、モードＡでの時間・週波数資源の量を増加できる。
【０１１５】
本発明は、図２に示すような端末間通信のための資源配置システム２００を備える、基地局機能を有するデバイス（図示せず）をさらに提案する。
【０１１６】
図３は、本発明の実施形態による、端末に適用される、端末間通信のための資源配置方法の概略フローチャートを示す。
【０１１７】
図３に示すように、本発明の実施形態による、端末に適用される、端末間通信のための資源配置方法は、前記端末が現在位置するセル内の基地局機能を有するデバイスが通知した第一異常時間・週波数資源プール、及び／又は、他のセル内の基地局機能を有するデバイスが通知した第二異常時間・週波数資源プールを受信するステップ３０２と、前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択するステップ３０４と、選択された時間・週波数資源で前記中断した端末間通信を再開するステップ３０６と、を備える。
【０１１８】
この技術手段において、端末が、端末が現在位置するセル内の基地局機能を有するデバイスと無線接続されないことに起因して、端末が行う端末間通信が中断する場合、端末が現在位置するセル内の基地局機能を有するデバイスが以前通知した第一異常時間・週波数資源プールから、中断した端末間通信を再開するための時間・週波数資源を選択でき、或いは、他のセル（例えば、端末が現在位置するセルに隣接するセル）が通知した第二異常時間・週波数資源プールを受信したとき、第二異常時間・週波数資源プールから、中断した端末間通信を再開するための時間・週波数資源を選択でき、或いは、第一異常時間・週波数資源プール及び第二異常時間・週波数資源プール内の時間・週波数資源を総合的に選択できるため、中断した端末間通信を速く再開できることを確保し、端末間通信の連続性を保証する。
【０１１９】
図４は、本発明の実施形態による、端末に適用される、端末間通信のための資源配置システムの概略ブロック図を示す。
【０１２０】
図４に示すように、本発明の実施形態による、端末に適用される、端末間通信のための資源配置システム４００は、前記端末が現在位置するセル内の基地局機能を有するデバイスが通知した第一異常時間・週波数資源プール、及び／又は、他のセル内の基地局機能を有するデバイスが通知した第二異常時間・週波数資源プールを受信するための受信ユニット４０２と、前記端末が、現在位置するセル内の基地局機能を有するデバイスと無線接続されないことに起因して、前記端末が行う端末間通信が中断する場合、前記第一異常時間・週波数資源プール及び／又は前記第二異常時間・週波数資源プールから、中断した端末間通信を再開するための時間・週波数資源を選択するための選択ユニット４０４と、前記選択ユニット４０４によって選択された時間・週波数資源で前記中断した端末間通信を再開するための処理ユニット４０６と、を備える。
【０１２１】
この技術手段において、端末が、端末が現在位置するセル内の基地局機能を有するデバイスと無線接続されないことに起因して、端末が行う端末間通信が中断する場合、端末が現在位置するセル内の基地局機能を有するデバイスが以前通知した第一異常時間・週波数資源プールから、中断した端末間通信を再開するための時間・週波数資源を選択でき、或いは、他のセル（例えば、端末が現在位置するセルに隣接するセル）が通知した第二異常時間・週波数資源プールを受信したとき、第二異常時間・週波数資源プールから、中断した端末間通信を再開するための時間・週波数資源を選択でき、或いは、第一異常時間・週波数資源プール及び第二異常時間・週波数資源プール内の時間・週波数資源を総合的に選択できるため、中断した端末間通信を速く再開できることを確保し、端末間通信の連続性を保証する。
【０１２２】
本発明は、図４に示すような端末間通信のための資源配置システム４００を備える端末をさらに提案する。
【０１２３】
具体的には、本発明が解決しようとする課題は、Ｄ２Ｄ通信過程の中断を低減することにより、業務に及ぼされる影響を低減し、特に、Ｄ２Ｄ通信が公共安全に用いられる場合、中断を低減し、業務の連続性をできるだけ保証することであり、非常に重要な意義がある。
【０１２４】
本発明に提出された、Ｄ２Ｄ業務の中断を減少するための方法は、主に、以下のように説明される。
【０１２５】
第一、基地局（説明の便利のために、以下、基地局機能を有するデバイスを例に挙げて説明しており、当業者が理解できるように、基地局機能を有するデバイスが基地局機能を有するすべてのデバイスであってもよい）は、ＵＥの特性や他の情報（例えば、セルのエッジまたは中心にあるか、隣接するセルの資源配置など）に基づいて、Ｄ２Ｄ通信のモードを柔軟に選択できる。具体的には、基地局の上りリソースにおけるＤ２Ｄ通信に利用可能な部分が多い場合、モードＡを採用して、セルの中心に位置するＵＥをスケジューリングすることができ、ＵＥが移動して次第にセルのエッジに近づく場合、基地局がＵＥの資源配置モードをモードＢに変更することができる。
【０１２６】
第二、Ｄ２Ｄ ＵＥがセルのエッジに位置する場合、このセルの基地局は、隣接するセルの基地局と対話して、隣接するセルの基地局のモードＢの資源配置情報を取得できる。更に、Ｄ２ＤＵＥがこの隣接するセル内に移動しようとすると判定する場合、できるだけこのセルと隣接するセルとのモードＢの資源の共通部分をこのＤ２Ｄ ＵＥに配置し、モードＢで通信を行うことをこのＤ２ＤＵＥに通知することができる。
【０１２７】
ＵＥがこのセルの中心に戻る場合、本発明の一つの実施形態において、基地局が、モードＡで再び通信を行うようにＵＥを設定してもよく、本発明の別の実施形態において、ＵＥが、資源の配置を基地局に指示ことにより、モードＡで再びＤ２Ｄ通信を行ってもよい。
【０１２８】
第三、モードＢに切り替えられないＤ２ＤＵＥと基地局との無線リンクが故障した場合、ＵＥはモードＢで通信できる。モードＢで利用される資源プール（区別の便利のために、以下に、専用資源プールを例に挙げて説明する）は、一つのセル内の複数のＵＥが共有するモードＢの資源であってもよく、複数のセルが共有するモードＢの資源であってもよく、専用資源プールは、モードＢの資源プールにおけるＤ２Ｄ通信を再開するためのみの一部であってもよい。
【０１２９】
専用資源プールは、基地局によって配分されてもよく、専用資源プールが基地局によって配分される根拠がＵＥの情報を含むが、これに限定されない。この情報は、ＵＥが現在処理できるＤ２Ｄ業務の重要性または優先度を含む。
【０１３０】
また、基地局は、中断したＤ２Ｄ通信の再開の統計結果に基づいて、専用資源プール内の時間・週波数資源の量を調整できる。統計過程は、ＵＥによって非明示的にまたは明示的に報告される必要がある。ここで、非明示的な報告は、基地局の推測に依拠するものである。例えば、基地局は、完全な無線リンクを再開する過程において受信されるシグナリングや無線リンクを再開する前のＤ２Ｄ通信状態に基づいて、中断したＤ２Ｄ通信の再開の発生を推測できる。明示的な報告は、基地局のシグナリング分析負荷を低減するためのものであり、即ち、ＵＥが直接報告する。
【０１３１】
Ｄ２Ｄ端末は、専用資源プールから、中断したＤ２Ｄ通信を再開するための時間・週波数資源を選択する場合、現地セルの基地局が通知した専用資源プールから選択してもよく、隣接するセルの基地局が通知した専用資源プールから選択してもよいと注意されるべきである。隣接するセルは、Ｄ２Ｄ端子が移動して入ろうとするセルであってもよい。
【０１３２】
第四、基地局は、Ｄ２Ｄ通信を現在行える端末の数に基づいて、モードＡとモードＢとの資源の量を調整できる。具体的には、基地局による資源の配分は、ＵＥが現在の位置を参照しながら選別する、Ｄ２Ｄ通信に好適に利用される週波数の情報、及び、Ｄ２Ｄ通信業務のタイプ（例えば、多くのデータが発生するかどうか）などの、ＵＥから収集される情報に基づくものである。基地局がＤ２Ｄ通信を現在行える端末の数に基づいてモードＡとモードＢとの資源の量を調整することは、Ｄ２Ｄ発見過程における資源プール配分に適用されてもよい。
【０１３３】
本発明の技術手段は、Ｄ２Ｄ通信の中断の確率を低減でき、ネットワークカバレッジ或いは他の要素に起因するＵＥとマクロネットワークの接続故障に起因してＤ２Ｄ業務が中断するということをできるだけ回避でき、高い品質と高い信頼性の業務をＤ２Ｄ端末に提供する能力を向上でき、Ｄ２Ｄ端末のユーザ体験を向上できる。
【０１３４】
以上、図面を参照しながら、本発明の技術手段について詳しく説明する。本発明は、基地局機能を有するデバイスに適用される、端末間通信のための新たな資源配置手段を提案しており、Ｄ２Ｄ通信の中断の確率を効果的に低減でき、Ｄ２Ｄ通信業務の連続性を保証できると共に、Ｄ２Ｄ端末がＤ２Ｄ通信を行うとき、高い通信品質を確保できる。
【０１３５】
以上は、本発明の好適な実施方式に過ぎなく、本発明を制限するためのものではない。当業者にとっては、本発明は、様々な変更及び変化が可能である。本発明の精神及び要旨を逸脱しない場合行われる修正、均等置換及び改良などは、いずれも本発明の範囲に属するものである。
【図１】
0006503083.tif 000002
【図２】
0006503083.tif 000003
【図３】
0006503083.tif 000004
【図４】
0006503083.tif 000005